(57)【要約】【課題】検査部品の梱包構造を運搬する場合に、回転子が電極に接触しにくくすることで、回転子による電極の損傷を抑える。【解決手段】検査部品の梱包構造は、細菌測定部材２１と、受けパット１４と、マグネットシート１３とを備えている。細菌測定部材２１は、測定セル１と、測定セル１内に露出した電極２と、測定セル１内で自由に移動可能な回転子３とを有する。受けパット１４は細菌測定部材２１を収納する。マグネットシート１３は、細菌測定部材２１が受けパット１４に収納された状態で回転子３を電極２に接触しない所定の位置に磁気吸着する。【選択図】図４
2009214894.tif 000002
【特許請求の範囲】
【請求項１】
容器と、前記容器内に露出した電極と、前記容器内で自由に移動可能な回転子とを有する検査部品と、
前記検査部品を収納するための収納部材と、
前記検査部品が前記収納部材に収納された状態で、前記回転子を前記電極に接触しない所定の位置に磁気吸着するための吸着部材と、
を備えた検査部品の梱包構造。
【請求項２】
前記所定の位置は前記容器の底部である、請求項１に記載の検査部品の梱包構造。
【請求項３】
前記吸着部材は、前記容器の底部に対向する位置に配置されている、請求項２に記載の検査部品の梱包構造。
【請求項４】
前記電極は前記容器の側壁に取り付けられている、請求項２または３に記載の検査部品の梱包構造。
【請求項５】
前記検査部品は、前記容器内を第１空間と第２空間とに仕切る第１シート部材をさらに有しており、
前記回転子は前記第１空間内に配置され、
前記第２空間には液体が充填されている、請求項１〜４のいずれかに記載の検査部品の梱包構造。
【請求項６】
前記検査部品は、前記第２空間を外部から遮断する第２シート部材をさらに有している、請求項５に記載の検査部品の梱包構造。
【請求項７】
前記収納部材は複数の収納部を有している、請求項１〜６のいずれかに記載の検査部品の梱包構造。
【請求項８】
前記吸着部材は、前記複数の収納部の近傍に配置された一枚の部材である、請求項７に記載の検査部品の梱包構造。
【請求項９】
前記検査部品は細菌測定部品である、請求項１〜８のいずれかに記載の検査部品の梱包構造。
【発明の詳細な説明】
【技術分野】
【０００１】
本発明は、容器内で自由に移動可能な回転子を有する検査部品を梱包して輸送や保管が可能な検査部品の梱包構造に関する。
【背景技術】
【０００２】
微生物を定量的に測定する細菌検査装置を用いて、以下のステップで検査行う技術が知られている。最初に、シート基板上に複数の電極を配置したものを微生物含有の溶液を入れたセルに浸す。次に、電極間に交流電圧を印加したときの誘電泳動力によって電極上に微生物を捕集する。最後に、捕集後または捕集中の電極のインピーダンスを測定する。
【０００３】
例えば、特許文献１には、以下のような校正を有する口腔内衛生状態検査装置が開示されている。この検査装置は、測定セルと、電源部と、測定部と、制御部とを備えている。測定セルは、内部に測定のための電極を備え口腔内から採取されたサンプルを含む試料を保持することができる。電源部は、電極に誘電泳動を行うための電圧を印加することができる。測定部は、試料液中の微生物数を算出することができる。制御部は、電源部と測定部とを制御する。
【特許文献１】特開２００３−２４３５０号公報
【発明の開示】
【発明が解決しようとする課題】
【０００４】
上記従来の細菌検査装置についてさらに説明すると、測定セルは、容器と、容器内に露出した電極と、容器内で自由に移動可能な回転子とを有している。容器内には試料液が充填され、検査時には電極と回転子が試料液に浸されている。細菌検査を行うときに、例えば口腔内から採取されたサンプルが付着した綿棒を試料液に浸して、綿棒から細菌を試料液内に流れ出させる。
【０００５】
しかし、測定セルを従来の梱包部材に収納させて輸送や保管を行う場合に、揺れや衝撃が作用すると、回転子が例えば電極に衝突して、電極に傷を付けたり破損したりすることがあり得る。その場合は、測定セルの性能が低下してしまう。
【０００６】
本発明は、上記従来の課題を解決するもので、検査部品の梱包構造を運搬する場合に、回転子を電極に接触しにくくすることで、回転子による電極の損傷を抑えることにある。
【課題を解決するための手段】
【０００７】
第１の発明に係る検査部品の梱包構造は、検査部品と、収納部材と、吸着部材とを備えている。検査部品は、容器と、容器内に露出した電極と、容器内で自由に移動可能な回転子とを有する。収納部材は検査部品を収納するための部材である。吸着部材は、検査部品が収納部材に収納された状態で回転子を電極に接触しない所定の位置に磁気吸着する。
【０００８】
この構造では、検査部品が収納部材に収納された状態では、回転子が吸着部材に吸着されて電極に接触しない所定の位置に保持される。このため、検査部品の梱包構造を運搬する場合に、回転子が電極に接触しにくい。したがって、回転子による電極の損傷が抑えられる。
【０００９】
第２の発明に係る検査部品の梱包構造では、第１の発明において、所定の位置は容器の底部である。
この構造では、検査部品が収納部材に収納された状態では、回転子が容器の底部に保持された状態になる。衝撃等が作用して回転子が底部から離れたとしても、重力によって回転子は速やかに底部に戻る。このため、検査部品の梱包構造を運搬する場合に、回転子が電極に接触しにくい。したがって、回転子による電極の損傷が抑えられる。
【００１０】
第３の発明に係る検査部品の梱包構造では、第２の発明において、吸着部材は、容器の底部に対向する位置に配置されている。
この構造では、回転子が容器の底部に保持された状態になる。このため、検査部品の梱包構造を運搬する場合に、回転子が電極に接触しにくい。したがって、回転子による電極の損傷が抑えられる。
【００１１】
第４の発明に係る検査部品の梱包構造では、第２または第３の発明において、電極は容器の側壁に取り付けられている。
この構造では、電極は容器の側壁に取り付けられており、しかも、検査部品が収納部材に収納された状態では、回転子が容器の底部に保持された状態になる。したがって、検査部品の梱包構造を運搬する場合に、回転子が電極に接触しにくい。したがって、回転子による電極の損傷が抑えられる。
【００１２】
第５の発明に係る検査部品の梱包構造では、第１〜４の発明のいずれかにおいて、検査部品は、容器内を第１空間と第２空間とに仕切る第１シート部材をさらに有しており、回転子は第１空間内に配置され、第２空間には液体が充填されている。
【００１３】
この構造では、検査部品の検査時に、第１シート部材が他の部材によって破られることで、第２空間内の流体が第１空間に入り込み、回転子が液体内を移動可能となる。そのため、使用前の前提として、実際に使用するまでは第１シート部材が破れていないことが重要である。そして、この構造では、検査部品が梱包部材の収納部に収納された状態では、回転子が吸着部材に吸着されて第１シート部材に接触しない位置に保持される。このため、検査部品の梱包構造を運搬する場合に、回転子が第１シート部材に接触しにくい。したがって、回転子による第１シート部材の損傷が抑えられる。
【００１４】
第６の発明に係る検査部品の梱包構造では、第５の発明において、検査部品は、第２空間を外部から遮断する第２シート部材をさらに有している。
この構造では、検査部品の検査時には、第２シート部材側から第２シート部材、第１シート部材を破ることで、第２空間内の流体が第１空間に入り込み、電極及び回転子が液体に浸される。
【００１５】
第７の発明に係る検査部品の梱包構造では、第１〜６のいずれかの発明において、収納部材は複数の収納部を有している。
この構造では、収納部材の複数の収納部にそれぞれ検査部品が収納され、運搬可能となる。
【００１６】
第８の発明に係る検査部品の梱包構造では、第７の発明において、吸着部材は、複数の収納部の近傍に配置された一枚の部材である。
この構造では、吸着部材が一枚の部材からなるため、構造が簡単である。
【００１７】
第９の発明に係る検査部品の梱包構造では、第１〜８の発明のいずれかにおいて、検査部品は細菌測定部品である。
【発明の効果】
【００１８】
本発明に係る検査部品の梱包構造によれば、検査部品が梱包部材の収納部に収納された状態では、回転子が吸着部材に吸着されて電極に接触しない所定の位置に保持される。このため、検査部品の梱包構造を運搬する場合に、回転子が電極に接触しにくい。したがって、回転子による電極の損傷が抑えられる。
【発明を実施するための最良の形態】
【００１９】
本発明の一実施形態に係る細菌検査装置９について、図１〜図４を用いて説明すれば以下の通りである。
ここで、本実施形態の細菌検査装置９の検査対象である口腔内の細菌（微生物）およびプラークについて説明すれば以下の通りである。
【００２０】
すなわち、口腔内の主要な疾病（例えば、う触や歯周病）は、いずれも口腔内の細菌（微生物）の存在が主な原因である。プラークは、口腔内の細菌が増殖によって局所的に固まった状態のものであり、多糖類などの代謝物を除いてそのほとんどが微生物の固まりである。プラーク１ｇ中の微生物の数は、実に１０の１０乗個から１１乗個にも達する。このプラークを口腔内から除去すること（以下、プラークコントロール）は、口腔内衛生を保つ上で最も重要なことであり、具体的にはブラッシング法（歯磨き）がプラークコントロールの主な手段となる。
【００２１】
このように、ほとんどの口腔内疾病は、プラークの存在によって引き起こされることが明らかになっていることから、口腔内疾病の効果的な予防を行うために、口腔内の衛生状態を精度よく検査することが極めて重要となる。
【００２２】
［細菌検査装置９の構成］
図１は、本発明の一実施形態に係る細菌検査装置の構成を示す概念図である。本実施形態に係る細菌検査装置９は、例えば、綿棒等の試料採取具を用いて採取された口腔内に存在する細菌（微生物）の検出を行う検査装置である。
【００２３】
細菌検査装置９は、図１に示すように、測定セル１、薄膜電極２、回転子３、スターラー４、電源部５、測定部６、制御部７および表示部８を主に備えている。
測定セル１は、円筒状のガラス製容器であり、試料液を導入／排出するための開口部が設けられている。測定セル１はガラス製であり、磁力を通す。ガラスを用いる理由は、スターラー４の磁気力を介して回転子３（後述）を回転させて試料液を攪拌するためである。なお、測定セル１の材質は、ガラス以外にもプラスチックなどを用いることもできる。なお、測定セル１内に貯留される試料液としては、例えば、水、油類、エタノール等のアルコール類、アセトン、ＤＩＭＳＯ、フラン、その他有機溶剤等およびこれらの混合物等の様々な液体を用いることができる。
【００２４】
薄膜電極２は、誘電泳動によって試料液中の細菌（微生物）を所定位置に移動させて細菌を検出するものである。薄膜電極２は電極基板上に形成されたおよび導電性薄膜から構成されている。導電性薄膜は、ギャップ１０を介して対向配置された櫛歯状の電極を構成している。なお、ギャップ１０の大きさは５μmである。薄膜電極２の導電性薄膜は、導電体をスパッタリングや蒸着やメッキ等の方法によって電極基板上に被覆して形成される。この薄膜電極２に電圧を印加すると、薄膜電極２のギャップ１０に細菌（微生物）が泳動される。
【００２５】
回転子３およびスターラー４は、試料液を攪拌して試料液と薄膜電極２の相対位置を変化させる。これにより、試料液中の細菌が薄膜電極２に確実に供給される。なお、回転子３およびスターラー４は、試料液を電極上で流動させて相対位置を変化させる流動促進手段であれば、必ずしも本実施形態の回転子３とスターラー４である必要はない。回転子３は、様々な形態のものが選択可能であるが、本実施形態では、円柱形のものを使用している。その他に、回転子は棒状や板状であってもよい。
【００２６】
電源部５は、誘電泳動を起こすための交流電圧を薄膜電極２に供給する。ここでいう交流とは、正弦波のほか、ほぼ一定の周期で流れの向きを変える電圧をいい、この双方向の電流の平均値が等しいものをいう。本実施形態においては、誘電泳動のための交流電圧として周波数１００ｋＨｚ、ピーク間電圧（以下、ｐｐと表す）５Ｖを印加している。もちろん誘電泳動のための交流電圧の周波数と電圧値は前述した値に限られるものではなく、広い範囲から選択することができる。
【００２７】
制御部７は、図示しない、マイクロプロセッサ、予め設定されたプログラムを保存するためのメモリ、タイマー、そして、使用者が測定を指示するための測定開始ボタン等の操作ボタンから構成されている。そして、制御部７は、予め設定されたプログラムにしたがって電源部５を制御して薄膜電極２に誘電泳動のための電圧を印加する。また、制御部７は、測定部６と信号の送受信を行い、適宜制御を行うことで測定動作全般の流れを管理する。さらに、制御部７は、測定結果や動作状況等を表示部８に表示する。
【００２８】
測定部６は、図示しない、マイクロプロセッサ、測定データや演算結果を一時的に保存するためのメモリ、そして、電極に印加された電圧、電極間に流れている電流、そして、電圧と電流との位相の差（以後、位相角とする）を測定するための回路などから構成され、電極のインピーダンス解析を行うための演算を行う。そして、電極のインピーダンス解析結果から試料液中の細菌数を算出することができる。なお、前述の算出については、既知の算出方法を使用している。また、測定部６のマイクロプロセッサやメモリは、制御部７のマイクロプロセッサやメモリと共用することができる。
【００２９】
表示部８は、ＬＣＤ等のディスプレイやプリンター、スピーカー等で、溶液中の細菌数を出力する。なお、本実施形態では、口腔内の衛生状態を試料液中の細菌数を表示する。なお、表示方法としてはたとえばバーグラフ等を用いて半定量的な表現で表示したり、さらに抽象的に○×表示を行ったり、視覚的な表示に加えて（または代えて）音声やそのほかの伝達手段を用いることも自由であり、これら多くの表示方法の中から目的に応じて最適なものを選択すればよい。
【００３０】
［細菌検査装置９で利用する誘電泳動についての説明］
続いて、本実施形態に係る細菌検査装置９で利用する誘電泳動について説明を行う。詳細な説明は、文献Ｊ．ｔｈｅｏｒ．Ｂｉｏｌ（１９７２）ｖｏ１．３７，１−１３等を参照されたい。
【００３１】
高周波の交流電圧を印加すると、これによって発生する交流電界の作用により測定セル１内の細菌は、最も電場が強くかつ不均一な部分に泳動される。上述したように、本実施形態においては、薄膜電極２のギャップ１０が最も電場が強く、かつ、不均一な部分に該当する。このとき、細菌の誘電体微粒子としての双極子モーメントをμとすると、誘電泳動力Ｆは、電場Ｅとの間に式１の関係が存在する。
【００３２】
【数１】
2009214894.tif 000003
【００３３】
さらに、細菌の細胞質の比誘電率をε２、細菌を含んでいる液体の比誘電率をε１、細菌を球体と見なしたときの半径をａ、円周率をπとすると、誘電泳動力Ｆは、式２のように書き換えることができる。
【００３４】
【数２】
2009214894.tif 000004
【００３５】
式２は、誘電泳動による力が電位勾配、媒質と誘電体微粒子としての細菌の比誘電率の差などの影響を受けることを示している。
【００３６】
ギャップ１０は、櫛歯状の導電性薄膜が対向している部分である。ギャップ１０付近に浮遊する細菌は、ギャップ１０間に生じるこのような電界作用によってギャップ１０に引き寄せられ、電気力線に沿って整列する。このとき、ギャップ１０付近の細菌の整列状態は、試料液体中に存在する細菌数とギャップ１０との間隔に依存する。しかし、十分に細菌数が多いときには、ギャップ１０において細菌が鎖状に繋がって架橋されるほどになる。そして、当初からギャップ１０付近に浮遊していた微生物は、直ちにギャップ１０部分へ移動し、ギャップ１０から離れたところに浮遊していた微生物は、距離に応じた所定時間経過後にギャップ１０部に到達する。このため、所定の時間後にギャップ１０付近の所定領域に集まっている微生物の数は、測定セル１内の微生物数に比例する。そして、細菌検査装置９では、この比例関係を基に、試料中の微生物数を算出する。
【００３７】
本実施形態においては、誘電泳動を生じさせるために交流の電界を用いているが、この交流印加の条件下では、誘電率εは、複素誘電率ε’で表され、導電率σの影響を受ける。例えば、微生物を含んでいる液体の複素誘電率は、液体の導電率σ１との関係において式３のようになる。
【００３８】
【数３】
2009214894.tif 000005
【００３９】
ここで、微生物を含んでいる液体の導電率σ１が高くなる方向に変化した場合について考えてみる。すなわち、複素誘電率で考えた式２中の項である（ε１−ε２）／（ε１＋２ε２）（ｃｌａｕｃｉｕｓ−Ｍｏｓｓｏｔｉ式と呼ばれている）の値が非常に小さくなると、誘電泳動力Ｆの値も小さくなる。その結果、微生物を電極付近に集めることができなくなり、測定感度は低下することになる。液体の導電率σ１を決定するのは、ほとんどが液体中に溶解している導電性物質イオンであるので、液体中からイオンを除去してやれば液体の導電率σ１は低下し、その結果誘電泳動力Ｆが増大して感度が向上することになる。
【００４０】
ところで、本実施形態におけるギャップ１０の間隔は、５μmに設定されているが、この値に限定されるものではない。ギャップ１０の間隔は、測定対象となる試料溶液中の微生物の種類や濃度に応じて調節されるのが望ましい。なお、ギャップ１０の間隔は、試料溶液の特徴に合わせて０．２〜３００μmの範囲で適宜調節されることが望ましい。
【００４１】
［細菌測定セル及びそれを収納する梱包部材の構造］
図２は、細菌検査装置の測定セル及びそれを収納する梱包部材の概略斜視図である。
細菌測定部品の梱包構造１１は、梱包箱１２と、マグネットシート１３と、受けパット１４と、上部梱包材１５と備えている。
【００４２】
梱包箱１２は、例えば一般の段ボール箱であり、底部１２ａ、側壁１２ｂ、開閉可能な蓋１２ｃを有している。
マグネットシート１３は、永久磁石からなる板状の部材であり、梱包箱１２の底部１２ａの上に配置されている。
【００４３】
受けパット１４は、例えばプラスチックまたは紙製の箱形部材である。受けパット１４は、側壁１４ａと、上面１４ｂとを有している。受けパット１４の上面１４ｂには複数の（この実施例では１２個の）収納部１４ｃが形成されている。収納部１４ｃは縦方向に延びる断面円形の筒状の壁を有している。
【００４４】
上部梱包材１５は、受けパット１４を覆うような形状を有している。
マグネットシート１３，受けパット１４，上部梱包材１５が梱包箱１２内に収納された状態で、各収納部１４ｃに細菌測定部品２１を収納させ、梱包箱１２の蓋１２ｃを閉じてガムテープを貼ると、梱包作業が完了する。
【００４５】
［細菌測定部品の構造］
図３は、細菌測定部品の断面図である。細菌測定部品２１は、主に、測定セル１と、薄膜電極２と、回転子３とから構成されている。
【００４６】
測定セル１は、筒状の部材であり、第１筒状部２２と第２筒状部２３を有している。第１筒状部２２は細長く延びる形状を有しており、さらに、底部２４を下端に有している。
底部２４の上面は、平坦な円形面である。
【００４７】
第１筒状部２２の側壁の内側面には、薄膜電極２が配置されている。薄膜電極２は、電極基板２ａと導電性薄膜２ｂとから構成されている。電極基板２ａは、縦方向に延びる薄板である。そのため、第１筒状部２２の側壁の一部は電極基板２ａに合わせて平坦な面になっている。電極基板２ａの下端は第１筒状部２２に形成されたスリットから外部に延びている。以上より、電極基板２ａの第１筒状部２２内での最下端部は、底部２４から縦方向に離れた位置にある。さらに、電極基板２ａと底部２４との間には、第１筒状部２２において平坦な側面と湾曲した側面との間（つまり、第１筒状部２２において電極基板２ａの下端部に対応する部分）は、段部２２ａになっている。段部２２ａは、電極基板２ａより下側において電極基板２ａより半径方向内側に配置されている。導電性薄膜２ｂは電極基板２ａ上に形成されている。特に、導電性薄膜２ｂは、電極基板２ａの縦方向中心より上側に形成されている。
【００４８】
第２筒状部２３は第１筒状部２２の上側に連続して形成された筒状部である。第２筒状部２３は第１筒状部２２より径が大きくなっており、したがって第１筒状部２２の第２筒状部２３の間には縦方向を向いた段差部２５が形成されている。
【００４９】
第１筒状部２２内が第１空間２７であり、第２筒状部２３内が第２空間２８である。
第１筒状部２２と第２筒状部２３の間には、第１シート部材２９が張られて、第１空間２７と第２空間２８を遮断している。さらに、第２筒状部２３の上端には、第２シート部材３０が張られて、第２空間２８と外部を遮断している。このように、第２空間２８は、第１シート部材２９と第２シート部材３０によって他空間から遮断された状態であり、さらにその内部に試料液を有している。
【００５０】
第１シート部材２９と第２シート部材３０は検査時に綿棒で容易に破れることが必要であり、例えばアルミ箔等といった金属薄膜からなる
第１空間２７は、第１シート部材２９によって第２空間２８から遮断されており、空気が充填されている。第１空間２７内には、回転子３が配置されている。回転子３は例えば磁性体からなる部材であり、円柱形状を有している。第１回転子３の高さは、第１筒状部２２の内径より小さく、そのため回転子３は、図３に示すように、底部２４の上に横たわった姿勢になって縦方向に延びる軸を中心に回転することが可能である。言い換えると、底部２４は回転子３が検査時に回転を行う場所である。
【００５１】
なお、回転子３が底部２４の上に立った姿勢になった場合は、回転子３は第１筒状部２２の下部の内周面および段部２２ａに当接可能である。ただし、段部２２ａが回転子３の高さに比べて十分長さを有しているため、回転子３が薄膜電極２に当接しにくい。特に、導電性薄膜２ｂは電極基板２ａの縦方向中心より上側に形成されているため、回転子３が導電性薄膜２ｂに当接しにくい。
【００５２】
［細菌測定セルを収納部材に収納している状態］
試料採取具を用いた試料採取から試料液中への細菌の放出、試料液Ｘの攪拌、細菌検出までを行う工程について説明する。
【００５３】
最初に、綿棒等の試料採取具を用いて口腔内から試料（細菌）を採取する。被験者の口腔内から得られる試料としては、歯牙や舌や口腔内壁を拭った布や綿棒や、唾液や唾液を染みこませた布状のもの、歯間からピック状のもので掻き取られた試料等が考えられる。次に、試料採取具の先端を用いて、測定セル１の第２シート部材３０を破って、次に第１シート部材２９を破る。この結果、第２空間２８内の試料液が第１空間２７内に流れ込む。第１空間２７では、回転子３及び薄膜電極２が試料液に浸される。また、試料採取具の先端も試料液に浸かった状態となり、そのため試料採取具から試料液中に細菌が流れ出す。続いて、スターラー４を用いて回転子３を回転させ、試料液を十分に攪拌する。次に、制御部７が、測定セル１の側壁面に設置された電極基板２ａ上の導電性薄膜２ｂに対して交流電圧を印加するように、電源部５を制御する。さらに、測定部６において、薄膜電極２におけるインピーダンスの変化を検出することで、試料液中の細菌数を検出する。最後に、制御部７が、測定部６における検出結果を表示部８において表示させて、処理を終了する。
【００５４】
［細菌測定部品を受けパットに収納している状態］
図４は、複数の細菌測定部品を受けパットに収納した状態の部分断面図である。
受けパット１４の収納部１４ｃの高さは、測定セル１の第１筒状部２２の高さとほぼ同じである。また、収納部１４ｃの径は、測定セル１の第１筒状部２２の外径よりわずかに大きいが、第２筒状部２３の外径より小さい。
【００５５】
以上の寸法関係より、測定セル１を受けパット１４の収納部１４ｃに収めると、図４に示すように、測定セル１の第１筒状部２２が収納部１４ｃ内に入り込み、段差部２５が収納部１４ｃの周りの面に当接する。この状態で、測定セル１の底部２４はマグネットシート１３の上に直接当接する。そのため、マグネットシート１３からの磁力によって回転子３は測定セル１の底部２４の上に保持された状態になる。このため、相当に大きな力が作用しない限り、回転子３が測定セル１の底部２４から離れることがない。
【００５６】
以上より、梱包構造１１の運搬中や保管中に通常の揺れや衝撃が作用しても、回転子３が底部２４から離れにくい。つまり、回転子３が薄膜電極２を傷つけたり破損したりすることが抑えられており、その結果セルの性能低下が生じにくい。さらに、回転子３が第１シート部材２９を破りにくい。以上より、梱包構造１１の運搬時に細菌測定部品２１に損傷が生じにくい。
【００５７】
特に、回転子３が第１筒状部２２に保持されている箇所が底部２４であるため、回転子３が薄膜電極２を傷つけない可能性がより高くなっている。例えば、本発明とは異なって、回転子が第１筒状部の側壁に保持されているケースを想定すると、衝撃等で回転子が側壁から離れてしまうと回転子が元の位置に戻れず、薄膜電極に悪影響を与えることが考えられる。一方、本発明の前記実施形態のように回転子が第１筒状部に保持されている箇所が底部である場合は、衝撃等によって回転子が底部から離れても重力によってすぐに底部に戻ることができる。
【００５８】
特に、本発明の特徴は、容器内に移動自在に配置された部材による内部構造の損傷の問題に着目し、それを課題としたことにある。従来容器そのものの移動による損傷の問題に着目しそれを課題にした発明はあるかもしれないが、容器内の部材の移動を課題とした発明は知られていない。したがって、本発明は課題の観点からも新規であり、進歩性に貢献している。
【００５９】
［他の実施形態］
以上、本発明の一実施形態について説明したが、本発明は上記実施形態に限定されるものではなく、発明の要旨を逸脱しない範囲で種々の変更が可能である。
【００６０】
（Ａ）
上記実施形態の梱包構造では、マグネット部材を一枚の板とする例を挙げて説明した。しかし、本発明はこれに限定されるものではない。
例えば、各収納部に対応させて複数マグネットを配置するようにしても、上記の実施形態に係るマグネットによる吸着と同様の効果を得ることができる。
【００６１】
（Ｂ）
上記実施形態の梱包構造では、測定セル１の底部２４がマグネットシート１３に直接当接する例を挙げて説明した。しかし、本発明はこれに限定されるものではない。
【００６２】
例えば、測定セル１の底部とマグネットシート１３との間に隙間が確保されていても良い。また、例えば、受けパット１４の収納部１４ｃが底部を有している構造にしてそのため測定セル１の底部がマグネットシート１３に直接当たらない構造にしても、上記の実施形態に係るマグネットによる吸着と同様の効果を得ることができる。
【００６３】
（Ｃ）
上記実施形態の梱包構造では、検査前には回転子３は試料液に浸されていない例を挙げて説明した。しかし、本発明はこれに限定されるものではない。
【００６４】
例えば、第１シート部材２９が無い構造にしてそのため回転子３が最初から試料液に浸されている構造にしても、上記の実施形態に係るマグネットによる吸着と同様の効果を得ることができる。
【産業上の利用可能性】
【００６５】
本発明によれば、本発明に係る検査部品の梱包構造によれば、検査部品が梱包部材の収納部に収納された状態では、回転子が吸着部材に吸着されて電極に接触しない所定の位置に保持されることが可能になるため、例えば、回転子及び電極を有する検査装置の他の梱包構造へ広く適用可能である。
【図面の簡単な説明】
【００６６】
【図１】本発明の一実施形態に係る細菌検査装置の構成を示す概念図。
【図２】細菌検査装置の細菌測定部品及びそれを収納する梱包部材の概略斜視図。
【図３】測定セルの断面図。
【図４】複数の測定セルを収納部材に収納した状態の部分断面図。
【符号の説明】
【００６７】
１        測定セル（容器）
２        薄膜電極（電極）
２ａ      電極基板
２ｂ      導電性薄膜
３        回転子
４        スターラー
５        電源部
６        測定部
７        制御部
８        表示部
９        細菌検査装置
１０      ギャップ
１１      梱包構造
１２      梱包箱
１２ａ    底部
１２ｂ    側壁
１２ｃ    蓋
１３      マグネットシート（吸着部材）
１４      受けパット（収納部材）
１４ａ    側壁
１４ｂ    上面
１４ｃ    収納部
１５      上部梱包材
２１      細菌測定部品（検査部品）
２２      第１筒状部
２２ａ    段部
２３      第２筒状部
２４      底部
２５      段差部
２７      第１空間
２８      第２空間
２９      第１シート部材
３０      第２シート部材
【図１】
2009214894.tif 000006
【図２】
2009214894.tif 000007
【図３】
2009214894.tif 000008
【図４】
2009214894.tif 000009